(57)【要約】【課題】  たとえば、自動二輪車における前輪側のサスペンション機構を形成して前輪の振れを円滑に減衰し得るのはもちろんのこと、搭載性や外観を悪くさせないようにする。【解決手段】  ハウジング１内に揺動可能に収装のベーン４によって画成される左右の油室Ｒ１，Ｒ２のいずれか一方あるいは両方に連通して左右の油室Ｒ１，Ｒ２に収容の作動油における油温の上昇時にこの油温の上昇に伴い増大した体積分の作動油を流入させるアキュムレータ７を有してなるロータリダンパにおいて、アキュムレータ７がベーン４の揺動方向を含む平面に沿うようにハウジング１に配在されてなる。【選択図】        図１
2006125419.tif 000002
【特許請求の範囲】
【請求項１】
ハウジング内に揺動可能に収装のベーンによって画成される左右の油室のいずれか一方あるいは両方に連通して左右の油室に収容の作動油における油温の上昇時にこの油温の上昇に伴い増大した体積分の作動油を流入させるアキュムレータを有してなるロータリダンパにおいて、アキュムレータがベーンの揺動方向を含む平面に沿うようにハウジングに配在されてなることを特徴とするロータリダンパ
【請求項２】
軸線方向がアキュムレータの軸線方向と同一あるいはほぼ同一になるソレノイド減衰バルブをハウジングに有してなる請求項１に記載のロータリダンパ
【発明の詳細な説明】
【技術分野】
【０００１】
この発明は、ロータリダンパに関し、特に、油温補償用のアキュムレータを有するロータリダンパにおける改良に関する。
【背景技術】
【０００２】
たとえば、四輪車におけるサスペンション機構を形成する油圧緩衝器がロータリダンパからなる場合には、この油圧緩衝器が筒型のダンパからなる場合に比較して、車内容積のいたずらな減少を回避できる点で有利になると言い得る。
【０００３】
一方、凡そ油圧利用のダンパにあっては、作動油における油温が上昇すると、この作動油が増大し、この作動油の増大がダンパにおける内部油圧を高圧化し、甚だしい場合には、シールを破損させるなどして作動油の漏れを招来させ、ダンパの利用を不能にすることがある。
【０００４】
そこで、たとえば、特許文献１には、ロータリダンパにおいて、作動油における油温が上昇して作動油の体積が増大する場合には、この増大した分の作動油が油温補償機構を形成するアキュムレータに流入し得るとした提案が開示されている。
【０００５】
それゆえ、この特許文献１に開示の提案によれば、ロータリダンパにおいて、作動油の油温の上昇による内部油圧の異常な高圧化を回避でき、シールを破損などさせてロータリダンパの利用を不能にするような不具合の招来を未然に回避できることになる。
【特許文献１】特開平８−１７７９２８号公報（明細書中の段落０００５，同０００７，同００１１，同００１２，図５，図６）
【発明の開示】
【発明が解決しようとする課題】
【０００６】
しかしながら、上記した特許文献１に開示の提案にあっては、ロータリダンパが嵩張ることになり、たとえば、自動二輪車におけるステアリング機構への利用に向かないと指摘される可能性がある。
【０００７】
すなわち、周知のように、自動二輪車におけるステアリング機構がロータリダンパを有する場合には、シミーなどに起因する自動二輪車の前輪における言わばいたずらの振れをこのロータリダンパで減衰し、自動二輪車の走行性を安定させることが可能になる。
【０００８】
そこで、自動二輪車におけるステアリング機構がロータリダンパを有するようにするが、このとき、上記した特許文献１に開示のロータリダンパにあっては、ベーンを枢支する基軸たるシャフトが内部に油温補償機構を形成するアキュムレータを有してなるとしている。
【０００９】
それゆえ、このロータリダンパにあっては、アキュムレータを備える分、シャフトが太く形成されるか、あるいは、長く形成されることになり、しかも、シャフトは、ベーンの揺動方向を含む平面に鉛直になるように配在されてベーンに枢着されるから、勢いロータリダンパがいわゆる縦方向あるいは横方向に嵩張ることになる。
【００１０】
そして、このロータリダンパが自動二輪車におけるステアリング機構に利用される場合には、嵩張るがゆえに搭載性を悪くするばかりでなく、凡そ二輪車のステアリング機構がいわゆる開放構造に形成されているから、看る者をしてその配在状況が容易に看取でき、外観を悪くする不具合がある。
【００１１】
この発明は、上記した事情を鑑みて創案されたものであって、その目的とするところは、たとえば、自動二輪車におけるステアリング機構を形成して前輪の振れを減衰し得るのはもちろんのこと、搭載性や外観を悪くさせずして、その汎用性の向上を期待するのに最適となるロータリダンパを提供することである。
【課題を解決するための手段】
【００１２】
上記した目的を達成するために、この発明によるロータリダンパの構成を、請求項１にあっては、ハウジング内に揺動可能に収装のベーンによって画成される左右の油室のいずれか一方あるいは両方に連通して左右の油室に収容の作動油における油温の上昇時にこの油温の上昇に伴い増大した体積分の作動油を流入させるアキュムレータを有してなるロータリダンパにおいて、アキュムレータがベーンの揺動方向を含む平面に沿うようにハウジングに配在されてなるとする。
【発明の効果】
【００１３】
それゆえ、請求項１の発明にあっては、アキュムレータがベーンを枢支させる基軸たるシャフト内に配在されないから、シャフトをいたずらに大径化させたり長尺化させることがなく、ロータリダンパを縦方向あるいは横方向にいたずらに嵩張らせないようにすることが可能になる。
【００１４】
そして、ロータリダンパを嵩張らせないようにし得るから、全体的に看て、ロータリダンパの小型化や重量の軽減化が可能になり、自動二輪車への搭載性を良くすることになる。
【００１５】
その結果、この発明によれば、たとえば、自動二輪車におけるステアリング機構を形成して前輪の振れを減衰し得るのはもちろんのこと、搭載性や外観を悪くさせないことが可能になる。
【発明を実施するための最良の形態】
【００１６】
以下に、図示した実施形態に基づいて、この発明を説明するが、この発明によるロータリダンパにあっては、自動二輪車のステアリング機構を形成するとし、その作動するところで、シミーなどの前輪に入力される振れを減衰するとしている。
【００１７】
すなわち、この発明によるロータリダンパは、外観からすると、図１に示す平面を呈すると共に図２に示す正面を呈するとし、ハウジング１が、図示しないが、たとえば、自動二輪車における前輪を保持するフロントフォークの上端部に連結されたアッパーブラケットに一体的に保持され、このハウジング１から液密構造下に突出する基軸たるシャフト２が、たとえば、連結部材３を介して、同じく図示しないが、自動二輪車における車体側に連結されるとしている。
【００１８】
それゆえ、このロータリダンパにあっては、自動二輪車において、たとえば、ハンドル操作されることで、車体側に対してフロントフォークを保持するアッパーブラケット側が揺動されるときには、相対的に看て、ハウジング１内でシャフト２が回動するようになり、後述するところであるが、このシャフト２に枢着されているベーン４（図３参照）がハウジング１内で揺動し、所定の減衰作用が実現されることになる。
【００１９】
つぎに、この発明によるロータリダンパの構造を看ると、図３に示すように、ハウジング１内にシャフト２に枢着されたベーン４で画成される左右の油室Ｒ１，Ｒ２を有してなるとしている。
【００２０】
そして、このロータリダンパにあって、左右の油室Ｒ１，Ｒ２は、図４にも示すように、ハウジング１に原理的にいわゆるクロス状に開穿されたポート（符示せず）で連通されていて、ベーン４の揺動時に広狭するとしている。
【００２１】
このとき、ポートの開口端Ｐ１，Ｐ３が油室Ｒ１に開口すると共に、ポートの開口端Ｐ２，Ｐ４が油室Ｒ２に開口するとし、ポートのいわゆる交差部にソレノイド減衰バルブ５（図４参照）が配在され、また、このソレノイド減衰バルブ５にリリーフ弁６（図４参照）が並列されてなるとしている。
【００２２】
また、ソレノイド減衰バルブ５およびリリーフ弁６の構成については、所定の作用を具現化できる限りには、自由な構成が選択されて良く、図示するところでは、ソレノイド減衰バルブ５は、ソレノイド（符示せず）への励磁およびその解除で進退してバルブ開度を制御するポペット５ａを有する構造に形成され、リリーフ弁６は、背後から附勢バネ６ａで附勢された鋼球６ｂが開口を開放可能に塞ぐ構造に形成されてなるとしている。
【００２３】
それゆえ、このロータリダンパあっては、たとえば、図３中において、ベーン４の左側への揺動で一方の油室Ｒ１が狭くなるときには、開口端Ｐ１からポートに流出した作動油がソレノイド減衰バルブ５を介してポートの開口端Ｐ４に至り、他方の油室Ｒ２に流入することになる。
【００２４】
また、上記と反対に、図３中において、ベーン４の右側への揺動で他方の油室Ｒ２が狭くなるときには、開口端Ｐ２からポートに流出した作動油がソレノイド減衰バルブ５を介してポートの開口端Ｐ３に至り、一方の油室Ｒ２に流入することになる。
【００２５】
そして、作動油がソレノイド減衰バルブ５を通過するときに、所定の減衰作用が具現化され、また、この減衰作用は、たとえば、ソレノイド減衰バルブ５におけるソレノイドへの通電量の制御で自在に強弱できることになる。
【００２６】
なお、このロータリダンパにおける減衰作用の発現に関しては、図示しないが、ベーン４が左右の油室Ｒ１，Ｒ２の連通を許容するオリフィスを有しており、ベーン４の揺動時にこのオリフィスを作動油が通過することで所定の減衰作用が発現されるとしても良いことはもちろんである。
【００２７】
また、減衰作用を発現させる減衰バルブの構成についてだが、上記したソレノイド減衰バルブ５のように減衰作用を可変とするものに代えて、いわゆる固定型の減衰バルブが配在されるとしても良く、さらには、ベーン４とハウジング１との間における隙間流れを利用するとしても良い。
【００２８】
ちなみに、ハウジング１内におけるベーン４の揺動速度が異常に速くなり、それゆえ、ソレノイド減衰バルブ５を通過し得ない作動油の流れが発現される場合には、このソレノイド減衰バルブ５に並列するリリーフ弁６を作動油が通過していわゆる反対側の油室に流入することになる。
【００２９】
ところで、この発明によるロータリダンパにあっても、油温補償機構を形成するアキュムレータ７を有してなるとしており、このとき、図示するところでは、上記したリリーフ弁６のいわゆる下流側に配在されてなるとしている。
【００３０】
このとき、このアキュムレータ７は、図示するところでは、フリーピストン７ａで画成される油室Ｒ３とバネ７ｂを有する構造に形成されていて、油室Ｒ３の開口端部に上記のリリーフ弁６が臨在されるとしている。
【００３１】
それゆえ、図示するところでは、アキュムレータ７とリリーフ弁６とがあたかも一体化されたような態様を呈することになり、その分いたずらに容積を占有しないことになる利点がある。
【００３２】
以上のように、ロータリダンパが油温補償機構を形成するアキュムレータ７を有してなることで、左右の油室Ｒ１，Ｒ２に収容の作動油における油温が上昇して体積が増大することになるとき、この増大した分の作動油のアキュムレータ７への流入が許容されることになり、作動油の体積が増大することによる異常高圧化を解消することが可能になり、シールなどが破損することを未然に回避し得ることになる。
【００３３】
つぎに、このロータリダンパにあって、アキュムレータ７は、ベーン４の揺動方向を含む平面に沿うようにハウジング１に配在される、すなわち、その軸線がベーン４の揺動方向を含む平面に沿うようにハウジング１に連設されるとしている。
【００３４】
ちなみに、アキュムレータ７をハウジング１に連設するについて、その軸線がベーン４の揺動方向を含む平面に沿うようにすることは、図示するところでは、前記したソレノイド減衰バルブ５においても同様にしている。
【００３５】
すなわち、図示するところにあって、ソレノイド減衰バルブ５は、その軸線方向がベーン４の揺動方向を含む平面に沿うとされていて、アキュムレータ７の軸線方向と同一あるいはほぼ同一になるようにハウジング１に配在されるとしている。
【００３６】
それゆえ、まず、アキュムレータ７が、ハウジング１に配在されるとするから、このアキュムレータ７がベーン４を枢着させる基軸たるシャフト２内に配在されなくなり、その分、シャフト２をいたずらに大径化させたり長尺化させなくなり、ロータリダンパを縦方向あるいは横方向にいたずらに嵩張らせないようにすることが可能になる。
【００３７】
そして、ロータリダンパを嵩張らせないようにし得るから、全体的に看て、ロータリダンパの小型化や重量の軽減化が可能になり、自動二輪車への搭載性を良くすることになる。
【００３８】
このとき、図示するところでは、ロータリダンパは、上記のアキュムレータ７だけでなく、前記したソレノイド減衰バルブ５をもベーン４の揺動方向を含む平面に沿うように配在されるとし、しかも、両者がほぼ水平に並列される（図２参照）としているから、アキュムレータ７だけでなくソレノイド減衰バルブ５を有した態様でのコンパクト化が可能になることになる。
【００３９】
のみならず、図示するようにアキュムレータ７だけでなく、ソレノイド減衰バルブ５をもベーン４の揺動方向を含む平面に沿うように配在されるとする場合には、このアキュムレータ７およびソレノイド減衰バルブ５をハウジング１に連設させるための穴加工に際して、いわゆる部材の盛り代えをすることなく一連の作業で必要な二ヶ所の穴を開穿することが可能になり、作業工程数の削減を可能にする点からも有利になると言い得る。
【００４０】
前記したところでは、この発明によるロータリダンパが自動二輪車におけるステアリング機構を形成するとして説明したが、この発明に意図するところからすれば、この発明によるロータリダンパが自転車におけるステアリング機構を形成するとしても良いことはもちろんである。
【００４１】
また、この発明によるロータリダンパにおいて、アキュムレータ７にはハウジング１内にベーン４で画成される左右の油室Ｒ１，Ｒ２がそれぞれいわゆる直接連通するとしたが、この発明の意図するところからすれば、左右の油室Ｒ１，Ｒ２のいずれか一方の油室のみが直接アキュムレータ７に連通し、他方の油室は、一方の油室を経由してアキュムレータ７に連通するとしても良いことはもちろんである。
【図面の簡単な説明】
【００４２】
【図１】この発明によるロータリダンパを示す平面図である。
【図２】図１のロータリダンパの正面図である。
【図３】図２中のＸ１‐Ｘ１線位置で示す横断面図である。
【図４】図２中のＸ２‐Ｘ２線位置で示す横断面図である。
【符号の説明】
【００４３】
１  ハウジング
４  ベーン
５  ソレノイド減衰バルブ
７  アキュムレータ
Ｒ１，Ｒ２  油室
【図１】
2006125419.tif 000003
【図２】
2006125419.tif 000004
【図３】
2006125419.tif 000005
【図４】
2006125419.tif 000006